(57)【要約】【課題】従来の回転位置調整固定装置では、操作用ボルトとナットを複数利用し、調整位置固定するため、調整を複数回おこなわなければならなく、部材を多く使用するためにコストが高く、組立も複雑になるという課題があった。【解決手段】壁面に取付ける取付穴と回転軸を備えた壁面固定部と、回転軸周りを回転する回転体と、回転体の回転位置を調整固定する調整固定部と、電器気に接続する機器接続部とを備え、壁面固定部の取付穴により、既存の壁面コンセント取付穴に壁面固定部を設置できるようにした。【選択図】  図１
2004270871.tif 000002
【特許請求の範囲】
【請求項１】
電気機器を取り付けて保持する機器接続部と、前記機器接続部と接続する回転体と、前記回転体を介して前記機器接続部を壁面に取り付ける壁面固定部とを備える電気機器取付装置であって、前記機器固定部は前記回転体が回転するための回転軸を備え、前記回転体は一体または複数の構成で前記第１の回転軸を挟み込む構造とした電気機器取付装置。
【請求項２】
回転体が回転軸を挟み込む強度を調整できる調整固定部を備えた請求項１記載の電気機器取付装置。
【請求項３】
回転軸外周面と、前記回転軸の周囲を回る回転体内周面との間に、表面が滑らかな弾性部材を備えた請求項２記載の電気機器取付装置。
【請求項４】
回転体は、回転軸と機器接続部をともに挟み込むとともに、前記回転体および前記機器接続部に軸部と軸受け部とを相互に設け、前記回転体と前記機器接続部が互いに回転しあう構造とした請求項１記載の電気機器取付装置。
【請求項５】
回転体が回転軸および機器接続部を挟み込む強度を同時に調整できる調整固定部を備えた請求項４記載の電気機器取付装置。
【請求項６】
回転体および機器接続部に相互に設けた軸部および軸受け部と同心円状に、前記回転体と前記機器接続部間に表面が滑らかな弾性部材を備えた請求項５記載の電気機器取付装置。
【請求項７】
回転体は機器接続部が回転する回転中心に穴部を設け、調整固定部は前記穴部を通る調整軸部を設け、前記穴部の少なくとも一部にめねじを切り、前記調整軸部の少なくとも一部におねじを切った４から６のいずれかに記載の電気機器取付装置。
【請求項８】
回転体が回転する回転面と機器接続部が回転する回転面とは略垂直方向である請求項４から７のいずれかに記載の電気機器取付装置。
【請求項９】
電気機器を取り付けて保持する機器接続部と、前記機器接続部を壁面に取り付ける壁面固定部とを備える電気機器取付装置であって、前記壁面固定部は、壁面の既存のコンセント設置箇所に取り付ける取付穴を有する電気機器取付装置。
【請求項１０】
壁面固定部は、壁面の既存のコンセント設置箇所に取り付ける取付穴を有する請求項１から８のいずれかに記載の電気機器取付装置。
【請求項１１】
電気機器を取り付けて保持する機器接続部と、前記機器固定部を壁面に取り付ける壁面固定部とを備える電気機器取付装置であって、前記壁面固定部は、前記電気機器の配線と壁内部の配線とを中継する配線中継部を有する電気機器取付装置。
【請求項１２】
壁面固定部は、電気機器の配線と壁内部の配線とを中継する配線中継部を有する請求項１から１０のいずれかに記載の電気機器取付装置。
【請求項１３】
壁面固定部に設けた配線中継部に接続可能とする電気機器の配線を電気機器に備え、前記電気機器の取り外し時に壁面固定部から前記配線を抜き取り可能な請求項１１または１２記載の電気機器取付装置。
【請求項１４】
電気機器はカメラ装置である請求項１から１３のいずれかに記載の電気機器取付装置。
【請求項１５】
電気機器はカメラ装置である請求項１から１３のいずれかに記載の電気機器取付装置を用いた取付装置付カメラ装置。
【発明の詳細な説明】
【０００１】
【発明の属する技術分野】
本発明は、機器の電気機器取付装置、特にカメラ装置を壁面に取り付ける取付装置に関する。
【０００２】
【従来の技術】
従来の機器の取付方法として、図５で示すような水平方向、鉛直方向Ｗともに位置調整できる機構のものがあった。（例えば特許文献１）
この特許文献１の例について図５を用いて説明する。図５において、天井等に取り付ける取付板２２下面に固定された鉛直ロッド２４を保持する第１の受け部材３０と第１の押え部材４２と操作用ボルト５０とで、機器・器具を取り付ける取付部材１８上面に固定された鉛直ロッド５２を保持する第２の受け部材６４と第２の押え部材５８と操作用ボルト７８とで水平方向の回転調整機構を構成し、第１の受け部材３０、第２受け部材６４及び操作用ナット８２で鉛直方向の回動調整機構を構成している。
【０００３】
以下に、その動作について説明する。第１の受け部材３０と第１の押え部材４２と操作用ボルト５０とで、操作ボルト５０を調整しながら天井等に取り付ける取付板２２下面に固定された鉛直ロッド２４を軸にして３６０度の回転方向を調整し、固定することができる。また、取付部材１８上面に固定された鉛直ロッド５２を保持する第２の受け部材６４と第２の押え部材５８と操作用ボルト７８とで水平方向の位置調整をおこない、操作用ボルト７８で位置固定をおこなうことができる。また、第１の受け部材３０、第２受け部材６４及び操作用ナット８２で鉛直方向の位置調整を操作用ナット８２で調整固定することができる。
【０００４】
【特許文献１】
特開２００１−２２７５２７号公報（図１）
【０００５】
【発明が解決しようとする課題】
しかしながら、上述した回転位置調整固定装置では、操作用ボルトとナットを複数利用し、調整位置固定するため、調整を複数回おこなわなければならなく、部材を多く使用するためにコストが高く、組立も複雑になるという問題点があった。また、機器・器具を取り付ける取付部材がボルトとナットで取付けする構造であり、施工性が悪く、機器・器具からの配線等を壁面内部や天井裏へ配線する場合には回転位置調整固定装置以外の器具を利用する必要があるという問題点があった。
【０００６】
【課題を解決するための手段】
上記課題を解決するために、本発明においては、壁面に取付ける取付穴と回転軸を備えた壁面固定部と、回転軸周りを回転する回転体と、前記回転体の回転位置を調整固定する調整固定部と、前記回転体の先端に機器の取り外し可能な機器設続部とを備え、前記壁面固定部の取付穴により、既存の壁面コンセント取付穴に壁面固定部を設置できるようにし、前記調整固定部で前記回転体の回転位置を調整できるようにし、前記機器接続部で容易に機器を取外すことができるようにした構成とした。
【０００７】
【発明の実施の形態】
以下に、本発明の実施の形態を図面を参照して説明する。
（実施の形態１）
図１は本発明の実施の形態１の機器取付装置を示す構成図であり、（ａ）は平面図、（ｂ）は正面図、（ｃ）は側面図を示す。そして、１は回転軸１ａを有する壁面に固定する壁面固定部、２ａおよび２ｂは回転可能な回転体、３は回転位置を調整固定する調整固定部、４はカメラ装置、５はカメラ装置４を壁面固定部１と接続する機器接続部を示す。
【０００８】
次に、このような構成の機器取付装置にの取付方法、作用について説明する。
まず壁面固定部１を壁面１００にねじ（図示せず）等で固定する。そして、壁面固定部１には回転軸１ａを上下向かい合うように２箇所設けており、この回転軸１ａを回転体２ａ、２ｂ両者で挟み込むようにして回転体２ａ、２ｂを設置する。なお、回転軸１ａは、上下に分かれた構造としているが、これに限定されることはなく、１本の構造としてもよい。
【０００９】
さらにこの回転体２ａ、２ｂのうち２ｂにはめねじ２ｃが切られており、おねじが切られている調整軸３ａを有する調整固定部３で締めつけて固定する。なお、調整固定部３には手動で締めこみと緩めができる調整つまみ３ｃを設けている。なおこのとき、回転体２ａ、２ｂは同時に機器接続部５を両者間に挟みこんで固定する。そして、図示しないが、回転体２ａ、２ｂと機器接続部５とは互いに軸部と軸受け部構造を備えており嵌合させることで軸ズレすることなく互いに回転し合うことができる。
【００１０】
さらに、カメラ装置４を機器接続部５に取り付け、カメラ装置４と機器接続部５が一体となって回転できるようにしている。
このようにすることで、回転体２ａ、２ｂは回転軸１ａを回転中心として６ａで示す回転方向に回転できるとともに、おねじが切られている調整固定軸３ａを回転中心として６ｂの方向に回転できる。そして、調整固定部３の締め込み具合を手動で調整することで、６ａおよび６ｂの２つの回転方向に回転位置を調整できるように緩めることと締めこんで固定することが、それぞれ２軸分同時にできる。
【００１１】
次に、図２を用いて回転部について詳細に説明する。図２において、１ａは壁面固定部１に設けた回転軸であり、１０はこの回転軸１ａの外周部に設けた弾性部材である。この弾性部材１０は、表面が滑らかで少なくとも回転軸の径方向に弾性を持つものであり、それを回転軸１ａの外周部に覆い、さらに回転体２ａ、２ｂ両者で挟み込むようにして取り付ける。なお、弾回転軸１ａの外周部に取り付けた弾性部材１０は、筒状であり、回転体２ａ、２ｂの内側面には、弾性部材１０の外周を接するように曲面を設けている。
さらに上述したように、機器接続部５を回転体２ａ、２ｂの間に挟みこませる。
【００１２】
そして、回転体２ｂにはめねじが２ｃが切られており、図１で示したおねじが切られた調整固定部３の調整軸３ａで全体を固定する。そして完全に締めきってロックするまでの間は、図１で示す回転方向６ａ、６ｂとも自由に回転できるので回転位置を調整できる。
【００１３】
なお、回転体２ａ、２ｂと機器接続部５とは、軸部２ｄと軸受け部２ｅを有し、これらが嵌合しながら回転することで、軸ズレすることなく回転方向６ａの方向にスムーズに回転できるようにしている。そして、回転体２ａ、２ｂには軸部２ｄと軸受け部２ｅと同心円状に弾性部材１１を設けている。この弾性部材１１は、機器接続部５が回転方向６ｂの方向に回転する回転面に接するように設け、表面が滑らかで少なくとも回転軸方向に弾力性のあるものを使用している。
【００１４】
ここで、弾性部材１０、１１を設ける理由について説明する。調整固定部３で締めつけることにより、回転体２ａ、２ｂを互いに密着しようとするが、この時、両者に挟み込まれている弾性部材１０、１１は圧縮される。そして、強く締めつけられていない時は、その表面が滑らかであるので接しながらも自由に回転していたが、締めつけられることにより自由に回転できなくなり、強くロックされる。このように、表面が滑らかな弾性部材１０、１１を回転面の接触し合う箇所に設けることにより、自由な回転とロックの両方ができ、調整と固定が可能となる。しかも本発明では、１つの調整固定部のロックにより２軸分の回転をロックできるようにするものである。
【００１５】
なお、本実施の形態では、表面が滑らかな弾性部材としてゴム製のものを使用している。また、本実施の形態ではひとつの調整固定部部を一つとしているが、弾性部材を用いてロックさせる方法は、複数の位置調整としても同じような効果が得られる。また、ねじ式とすることで固定を汎用のドライバーやねじを化粧ねじのような手で簡単にまわすことができ、容易に調整することができる。またねじ式以外でも回転体２ａと２ｂを密着する手段であれば本発明の効果は得られる。
【００１６】
なお、本実施例では回転体２ａと２ｂで、弾性部材１０、１１を挟み込む構造としたが、回転体２ａと２ｂを一体型にして弾性部材１０、１１を挟み込んでも同じ結果が得られる。
【００１７】
以上に示したように、本実施の形態では、カメラ装置などの電気機器を設置した際に任意の位置に機器を移動調整することができるとともにその移動や設置後の振動による落下防止、位置ずれを防止することができる。
【００１８】
次に、壁面固定部１を壁面に固定する方法について図３を用いて説明する。図３において、壁面固定部１には取付用の２つの取付穴１ｂを設けており、この２つの取付穴１ｂは、図３に示すように既存のコンセント等の取付プレートに取り付けられるように穴径、穴ピッチを合わせている。このようにすることで、新たに取り付け用の設置箇所を壁面に設ける必要がなく、既存のコンセント等の取り付けプレートに取り付けることができる。このようにすることのより、既存のコンセント取付け位置を利用して設置することができるとともに、設置工事の際に、コンセントと同様の施工作業が実施でき、移設した際に、汎用のコンセントプレートを使用して目隠しをすることも容易にできる。
【００１９】
さらに、カメラ装置４は電気機器であり配線部を必要とし、その処理が必要となるのでその処理方法について図４を用いて説明する。図４において、１５ｂは、カメラ装置４に付随する表側配線である。そして、壁面固定部１に設けた配線中継部１５でこの表側配線１５ｂを中継し、配線中継部１５に接続している壁内部の配線１５ａと接続させている。なお、予め、壁内部の配線１５ａを配線中継部１５に配線しておくことで、壁面固定部１を設置した後で表側配線１５ｂを配線中継部１５を中継させられるので、容易に後から配線することができ、また任意に取り外しも自由にできる。容易にカメラ装置を取り外しすることが可能である。また、機器側の表側配線１５ｂを壁面に這わせずに済むので見栄えの点でもよい。
【００２０】
特に本実施の形態のように、カメラ装置を壁面に取り付ける場合、カメラの種類を変更する場合やメンテナンスをおこなう場合に、壁面固定部１の設置性を容易にし、固定部の接続を表面側から抜くことで容易に機器を取外すことが可能で、複数種類のカメラを容易に交換することも可能とした効果を有する。
なお、本実施の形態では、機器固定部５にカメラ装置４を固定するのは、機器固定部にカメラ装置５をスライドさせて取り付ける差込方式で行なっているが、これに限定されることなく、挟み込みやねじ締め付け方式で構成されていても良い。
【００２１】
なお、本実施の形態では、電気機器として、カメラ装置を取り付ける例を示したが、本発明の電気機器の取り付け装置は、それ以外の取り付け角度の調整を必要とする電気機器を壁面に取り付けるのにも有効であり、カメラ装置に限定するものではない。
【００２２】
【発明の効果】
以上で説明したように、本発明によれば、壁面に電気機器を取り付ける際に、設置、配線などの工事が容易にでき、しかも２軸分の取り付け角度調整とロックがひとつの調整ねじででき、しかも既存の壁面取り付け部に取り付けでき経済性においても優れる。
【図面の簡単な説明】
【図１】（ａ）本発明の実施の形態１の機器取り付け装置の構成を示す平面図
（ｂ）本発明の実施の形態１の機器取り付け装置の構成を示す正面図
（ｃ）本発明の実施の形態１の機器取り付け装置の構成を示す側面図
【図２】本発明の実施の形態１の回転部の構成図
【図３】本発明の実施の形態１の壁面固定部の取り付け方法を示す図
【図４】本発明の実施の形態１の電気機器の配線方法を示す図
【図５】従来の実施例における構成図
【符号の説明】
１  壁面固定部
１ａ  回転軸
１ｂ  取付穴
２ａ、２ｂ  回転体
２ｃ  めねじ
２ｄ  軸部
２ｅ  軸受け部
２ｆ  回転体内周面
３  調整固定部
３ａ  調整軸
４  カメラ装置
５  機器接続部
１０、１１  弾性部材
１００  壁面
１５ｂ  電気機器の配線
１５ａ  壁内部の配線
１５  配線中継部
【図１】
2004270871.tif 000003
【図２】
2004270871.tif 000004
【図３】
2004270871.tif 000005
【図４】
2004270871.tif 000006
【図５】
2004270871.tif 000007